(57)【要約】【課題】簡易な構造でありながら、袋への中詰め材の充填作業の作業性を向上し得る袋充填用補助装置を提供する。【解決手段】袋４に中詰め材ｅｓを充填するために用いられる袋充填用補助装置１であって、上下に開口し、前記袋を収容し得る筒状本体１０を備え、該筒状本体には、その下端外周縁部１１ｂから外方に向けて延出する鍔部１３ａが周設されている。【選択図】図１
2010037865.tif 000002
【特許請求の範囲】
【請求項１】
袋に中詰め材を充填するために用いられる袋充填用補助装置であって、
上下に開口し、前記袋を収容し得る筒状本体を備え、該筒状本体には、その下端外周縁部から外方に向けて延出する鍔部が周設されていることを特徴とする袋充填用補助装置。
【請求項２】
請求項１において、
前記筒状本体に収容されて折り返された前記袋の開口端部を拘束する拘束手段を備えていることを特徴とする袋充填用補助装置。
【請求項３】
請求項２において、
前記拘束手段は、前記袋の折り返された開口端部を外周から締め付ける止め輪であることを特徴とする袋充填用補助装置。
【請求項４】
請求項１乃至３のいずれか１項において、
前記筒状本体の外側上端部には、前記袋に設けられた吊持用紐を係止する紐係止具が設けられていることを特徴とする袋充填用補助装置。
【請求項５】
請求項１乃至４のいずれか１項において、
前記筒状本体は、平面視して略円形状或いは六角形以上の略正多角形状とされていることを特徴とする袋充填用補助装置。
【発明の詳細な説明】
【技術分野】
【０００１】
本発明は、袋に中詰め材を充填するために用いられる袋充填用補助装置に関する。
【背景技術】
【０００２】
従来より、土木工事や建設工事等において、土砂等の中詰め材を土嚢袋に充填して土嚢の製作がなされている。また、木材等や建設廃材等の粉砕物や破砕物、或いは堆肥や飼料、穀物類、樹脂ペレット、ガラスカレット等の粉粒体状の中詰め材を、運搬や保管等のためにフレキシブルコンテナバッグ等の袋に充填することが行われている。
上述のような中詰め材を袋等に充填する際には、工場内等では、大型のホッパー装置に、袋の開口部を取付け、該袋に中詰め材を充填した後、ベルトコンベア等で搬送して、その充填作業及びその搬送作業等がなされている。
【０００３】
しかしながら、土木工事や建設工事等の工事現場、或いは採土場や材料保管場、資材置場等においては、上述のようなホッパー装置やベルトコンベア等の設置は、費用、設置スペース等の種々の観点から制約があるため、一般的には、手作業により袋詰め作業を行ったり、バックホウやパワーショベル等の重機を用いて袋詰め作業を行ったりしている。
特に、大型の袋への中詰め材の充填作業は、手作業では困難であり、種々の補助具が提案されている。
【０００４】
例えば、下記特許文献１では、残土を保管袋に投入する際に用いられる残土保管袋の開口固定具が提案されている。
この開口固定具は、保管袋を収容する枠体と、保管袋の開口端部に取付けられた掛止紐の他端を掛止する複数の掛止部材とを備えている。上記枠体は、複数のパイプ状の支柱と、複数のパイプ状の横材とからなり、該横材には、掛止部材が着脱自在に固定されている。
上記構成とされた開口固定具では、保管袋の掛止紐を、掛止部材に掛止させることで、保管袋の開口部を広げた状態に保持可能とされている。
この開口固定具を用いた保管袋への残土の充填作業は、上記のように拡げた状態に保持された開口部から残土を投入して、該保管袋に残土を充填する構成とされている。また、その充填がなされた後は、開口固定具の掛止部材から保管袋の掛止紐を取外し、バックホウ等のバケットのフック部等に、保管袋の吊り上げロープを掛止して吊り上げることで、該開口固定具から充填後の保管袋を取り出すことができる、と説明されている。
【０００５】
また、下記特許文献２では、土砂や穀類等の粉粒体を保管する粉粒体保管袋の掛止紐等の掛止体を掛止する掛止部材及びそれを備えた粉粒体案内具が提案されている。
この粉粒体案内具は、漏斗状に形成された筒体と、該筒体の外側面の二箇所に対称状に略水平に張り出して配設された掛止部材とを備えている。
上記構成とされた粉粒体案内具を用いた保管袋への粉粒体の充填作業は、まず、筒体の上端部に取付けられたワイヤを、油圧ショベル等のバケットに引掛けて、該筒体を宙吊りにし、この状態で、袋体の開口部に筒体の下部を収容させるようにして、袋体の開口部に筒体を挿通し、該袋体の掛止紐を、上記掛止部材に掛止させる。
次いで、上記バケットから上記ワイヤを取外し、筒体の上部開口から土砂等の粉粒体を油圧ショベルのバケット等を用いて投入する。該筒体内に所定量の粉粒体を充填した後、上記ワイヤを再度、バケットに引掛けて吊り上げるとともに、袋体を粉粒体案内具に取付けたまま所望する位置まで移動させる構成とされている。これにより、筒体内に充填された粉粒体は、その自重により、袋体内に投入されるとともに、筒体に取付けたまま粉粒体が充填された袋体を移動させることができる、と説明されている。
【０００６】
また、下記特許文献３では、砂、土砂などの中詰め材を充填して、重し、土留め、せき止めやコンテナバッグなどとして使用する土のう袋及びこの土のう袋を用いた土のうの製作方法が提案されている。
この土のうの製作方法では、上下に開口部を有した直方体状の製作枠に、土のう袋の開口部を広げて入れ、中詰め材として砂や土砂などを充填する構成とされている。また、中詰め材を充填した後は、土のう袋の開口部を閉じ紐で括り、土のう袋の吊りロープをクレーンのフックに引掛けて、土のうを吊り上げて製作枠から取り出す構成とされている。
【特許文献１】特開２００５−８２２０９号公報（図１参照）
【特許文献２】特開２００８−７１８３号公報（図３〜図６参照）
【特許文献３】特開２００８−６３８３７号公報（図３及び図４参照）
【発明の開示】
【発明が解決しようとする課題】
【０００７】
しかしながら、上記特許文献１に記載された残土保管袋の開口固定具を用いた保管袋への残土の充填作業は、パイプ状の支柱及び横材で枠組み形成された枠体に残土保管袋を収容させ、その収容させた保管袋の開口部を掛止部材に掛止させて該開口部を開口させた状態に保持し、残土を投入する構成とされている。この状態では、該保管袋は、その上端の開口部が保持されているのみで、保管袋の下部の周囲を拘束或いは規制するものがないため、残土の投入に伴って保管袋が変形し、その充填量が、充填された保管袋毎に異なる場合があった。
また、保管袋に残土を充填させた後、当該保管袋を吊り上げて該枠体から移動させる際に、保管袋が枠体に引掛かり、枠体が倒れたり、或いは、枠体とともにクレーン等の吊下げ手段で吊り上げたりしてしまう恐れがあり、作業性の改善が望まれていた。
【０００８】
また、上記特許文献２に記載された粉粒体案内具を用いて粉粒体を袋体へ充填する際において、該粉粒体案内具への袋体の取付けは、該粉粒体案内具の筒体に取付けられたワイヤを、油圧ショベル等のバケットに引掛けて該筒体を宙吊りにした状態で、袋体の開口部に筒体を挿通し、袋体の掛止紐を、掛止部材に掛止させて取付ける必要があり、該粉粒体案内具が宙吊りの不安定な状態であることから作業性の悪いものであった。
【０００９】
また、上記粉粒体案内具では、当該粉粒体案内具に袋体を取付けた後、該袋体に粉粒体を充填する際には、油圧ショベル等のバケットを傾動（下動）させて、該粉粒体案内具を床面に置き、該粉粒体案内具のワイヤを上記バケットから取外し、該粉粒体案内具の筒体の上部開口から土砂等の粉粒体を油圧ショベルのバケット等を用いて所定量、充填する。その充填した後、該袋体を移動させる際には、上記ワイヤを再度、バケットに引掛けて、吊り上げるとともに、袋体を粉粒体案内具に取付けたまま所望する位置まで移動させ、該粉粒体案内具から袋体の掛止紐を取外し、該粉粒体案内具を吊り上げて、次に充填する袋体を取付ける構成とされている。このような構成では、粉粒体案内具のワイヤのバケットへの取付け及び取外し、袋体の掛止紐の粉粒体案内具への取付け及び取外し作業が煩雑であり、更なる作業性の改善が望まれていた。
【００１０】
また、上記特許文献３に記載の土のうの製作方法では、土のう袋に中詰め材を充填するために用いられた製作枠から、土のうを吊り上げて取り出すと説明されているが、土のう袋に中詰め材を充填した状態では、該土のう袋は製作枠内において拡開し、製作枠と密着状態とされている。このような状態で、製作枠から土のうを吊り上げて取り出そうとすれば、スムーズに取外しが出来ず、該製作枠が倒れたり、或いは、該製作枠とともに吊り上げてしまったりする恐れがあり、作業性の改善が望まれていた。
【００１１】
本発明は、上記実情に鑑みなされたものであり、簡易な構造でありながら、袋への中詰め材の充填作業の作業性を向上し得る袋充填用補助装置を提供することを目的としている。
【課題を解決するための手段】
【００１２】
前記目的を達成するために、本発明に係る袋充填用補助装置は、袋に中詰め材を充填するために用いられる袋充填用補助装置であって、上下に開口し、前記袋を収容し得る筒状本体を備え、該筒状本体には、その下端外周縁部から外方に向けて延出する鍔部が周設されていることを特徴とする。
【００１３】
ここに、上記中詰め材は、土砂等の他、木材等や建設廃材等の粉砕物や破砕物、或いは堆肥、飼料、穀物類、樹脂ペレット、ガラスカレット等、どのようなものでもよい。
また、上記筒状本体に収容される袋は、土砂等を充填するための土嚢袋や上記のような種々の中詰め材を充填して運搬するためのフレキシブルコンテナバッグ、或いは、種々の中詰め材を充填して保管するための保管用袋等、どのようなものでもよい。
【００１４】
本発明の前記袋充填用補助装置においては、前記筒状本体に収容されて折り返された前記袋の開口端部を拘束する拘束手段を備えたものとしてもよい。
この拘束手段を備えた上記袋充填用補助装置においては、前記拘束手段を、前記袋の折り返された開口端部を外周から締め付ける止め輪で構成してもよい。
【００１５】
本発明の前記袋充填用補助装置においては、前記筒状本体の外側上端部に、前記袋に設けられた吊持用紐を係止する紐係止具を設けるようにしてもよい。
本発明の前記袋充填用補助装置においては、前記筒状本体を、平面視して略円形状或いは六角形以上の略正多角形状としてもよい。
【発明の効果】
【００１６】
本発明に係る前記袋充填用補助装置によれば、上下に開口する筒状本体の上方の開口から袋を収容させて、該袋に中詰め材を充填できる。これにより、筒状本体の内周側壁によって該袋が規制されるので、例えば、中詰め材を充填した袋毎に、充填量がバラツクようなことがなく、均一量の中詰め材を各袋に充填することができるとともに、各袋を同形状のものとできる。よって、保管時や運搬時、施工時等に、中詰め材充填後の袋を、整然かつ崩れるようなことなく積重ねることができる。
また、筒状本体を、所定位置に設置した後は、該筒状本体を吊り上げたりする必要がないので、袋への中詰め材の充填作業の作業性を飛躍的に向上させることができる。すなわち、該筒状本体の上記上方の開口から、袋を収容させ、中詰め材を充填した後は、中詰め材充填後の袋を、重機等によって抜き出し、所定の保管場或いは現場等に当該袋を移動させ、再度、袋を上記筒状本体内に収容させて、中詰め材を充填する、というように、充填作業、中詰め材充填後の袋の移動が上記筒状本体を移動させることなく、繰り返し行える。
【００１７】
さらに、該筒状本体の下端外周縁部には、外方に向けて延出する鍔部が周設されているので、該筒状本体の安定性が高まる。これにより、例えば、バックホウやパワーショベル等の重機で中詰め材を袋に充填するような際にも、該筒状本体が倒れるようなことがない。
さらにまた、上記鍔部に、例えば、重し等を載置したり、土砂等の中詰め材を堆積させたりすることによって、より安定性が高められるとともに、当該鍔部が、地盤等の基礎面に対して上記筒状本体を堅固に固定させるための固定部として機能する。これにより、上述のように、中詰め材を充填した後に、袋を上記筒状本体から抜き取る際にも、該筒状本体が倒れたり、該袋とともに当該筒状本体が引き上げられたりすることを防止できる。また、上述のように、上記鍔部に、例えば、重機等で土砂等を堆積させるような場合に、上記筒状本体内に土砂等が入る場合があるが、上記のように筒状本体は、下方が開口しているので、該筒状本体を移動させる必要が生じた場合にも該筒状本体内に土砂等が残存するようなことがない。
また、上下に開口する形状とされているので、例えば、下端が閉塞された筒状体のものと比べて、地盤等の基礎に設置する際、地盤等の不陸を吸収でき、筒状本体が傾くようなことを低減できる。
【００１８】
本発明に係る前記袋充填用補助装置において、前記筒状本体に収容されて折り返された前記袋の開口端部を拘束する拘束手段を備えたものとすれば、該袋の開口端部が拘束されるので、中詰め材を当該袋に投入する際に、該袋が上記筒状本体内にズレ落ちたり、該袋が外れて上記筒状本体内に落ち込んでしまったりするようなことを防止でき、作業性を向上させることができる。
この拘束手段を備えた上記袋充填用補助装置において、前記拘束手段を、前記袋の折り返された開口端部を外周から締め付ける止め輪で構成すれば、該袋の折り返された開口端部が外周から全周に亘って止め輪により締め付けられるので、袋の開口端部が強固に固定保持され、上述のような袋のズレ落ちや落ち込みを確実に防止できる。
【００１９】
本発明に係る前記袋充填用補助装置において、前記筒状本体の外側上端部に、前記袋に設けられた吊持用紐を係止する紐係止具を設けるようにすれば、以下のような効果を奏する。特に、大型の土嚢袋やフレキシブルコンテナバッグ等の袋を、上記筒状本体内に収容して、その開口端部を筒状本体の上端部に固定等する際に、該袋の開口端部が外れて筒状本体内に外れ落ちた際には、該袋を拾い上げる作業が、大型であることから面倒かつ困難な作業となるが、袋の吊持用紐を係止する紐係止具を備えているので、外れ落ちるようなことがなく、作業性に優れたものとなる。
また、該紐係止具が、上述のような袋のズレ落ちや落ち込みを防止する袋保持用としても機能する。
さらに、上記紐係止具に、例えば、当該袋充填用補助装置を重機等で吊持するための吊りベルト等を係止させることで、当該袋充填用補助装置を重機等で吊持する際の吊り部としても機能する。
【００２０】
本発明の前記袋充填用補助装置において、前記筒状本体を、平面視して略円形状或いは六角形以上の略正多角形状とすれば、特に、大型円筒形（丸型タイプ）の土嚢袋（いわゆる１トン土嚢用の袋）や大型円筒形のフレキシブルコンテナバッグ等の円筒形状の袋に好適である。すなわち、円筒形状の袋への中詰め材の充填を効率的に行うことができる。
また、例えば、四角筒状のような筒状本体と比べて、剛性が高められる。
【発明を実施するための最良の形態】
【００２１】
以下に本発明の最良の実施の形態について、図面に基づいて説明する。
図１は、本実施形態に係る袋充填用補助装置を模式的に示す概略斜視図、図２（ａ）、（ｂ）は、いずれも同袋充填用補助装置を模式的に示し、（ａ）は、概略平面図、（ｂ）は、概略正面図、図３（ａ）〜（ｃ）は、いずれも同袋充填用補助装置の部分拡大図であり、（ａ）は、図２（ｂ）におけるＸ１部の概略拡大縦断面図、（ｂ）は、図２（ｂ）におけるＸ２部の概略拡大図、（ｃ）は、図２（ｂ）におけるＸ３部の概略拡大縦断面図である。
図４（ａ）〜（ｃ）は、いずれも同袋充填用補助装置を用いた中詰め材充填方法を説明するための説明図であり、（ａ）、（ｂ）は、概略正面図、（ｃ）は、一部破断概略正面図、図５（ａ）〜（ｃ）は、いずれも同中詰め材充填方法を説明するための概略正面図、図６（ａ）、（ｂ）は、いずれも同中詰め材充填方法を説明するための概略正面図、（ｃ）は、同中詰め材充填方法によって製作された土嚢の概略正面図である。
【００２２】
本実施形態に係る袋充填用補助装置１は、図１に示すように、大略的に、後記する土嚢袋４（図４（ｃ）参照）を収容するための筒状本体１０と、該筒状本体１０に収容させた土嚢袋４の折り返された開口端部（延出部）４ｄを拘束するための拘束手段を構成する止め輪２０とを備えている。
この袋充填用補助装置１は、本実施形態では、大型の円筒形状とされた袋（図例では土嚢袋４）に中詰め材を充填する際に用いられる補助装置として好適な例を示している。
【００２３】
上記筒状本体１０は、上下に開口する中空筒状の筒部１１と、該筒部１１の側壁上端部から水平方向外方に向けて突出するように設けられた上端突条部１２（図３（ａ）参照）と、該筒部１１の側壁下端部から水平方向外方に向けて延出するように形成された鍔部１３ａ（図３（ｃ）参照）と、該筒部１１の外側上端部に設けられた一対の紐係止具１４，１４とを備えている。
該筒部１１は、図２（ａ）に示すように、平面視して略正多角形状とされており、本実施形態では、略正十角形状とされている。また、該筒部１１は、図２（ｂ）に示すように、上から下まで同径の筒形状であり、水平面に載置した際には、その側壁が鉛直上方に向けて垂直とされている。該筒部１１の側壁は、後記するように、土砂ｅｓを充填した後の土嚢袋４を、当該袋充填用補助装置１から上方に向けてスムーズに抜き取れるよう、筒部１１の側壁を上記のように垂直とさせたものとすることが好ましく、或いは、上方に向けて徐々に、やや拡開するような形状としてもよい。
【００２４】
上記上端突条部１２は、図３（ａ）に示すように、本実施形態では、縦断面略円形状とされ、筒部１１の上端外周縁部１１ａの全周に亘って溶接等によって付設されている。このように、筒部１１の上端に、断面略円形状とされた上端突条部１２を全周に亘って付設することで、後記するように、土嚢袋４を収容して開口端部４ｄを折り返して固定した場合に、その折り返された開口端部４ｄが損傷したり、引っ掛かったりするようなことがない。
尚、このような態様に代えて、筒部１１の上端内周縁部をＲ面取り形状とし、筒部１１の上端外周部に断面略半円形状とされた上端突条部を設けるようにしてもよい。
すなわち、上記態様のいずれによっても筒状本体１０の上端内外周縁部がＲ面形状となり、これにより、上述のように、土嚢袋４の折り返された開口端部４ｄが損傷したり、引っ掛かったりするようなことを防止できる。
【００２５】
上記鍔部１３ａは、図３（ｃ）に示すように、断面略Ｌ字状のアングル部材１３の水平片とされ、該アングル部材１３の垂直片１３ｂが筒部１１の下端部の全周に亘って溶接等によって固着されている。このアングル部材１３は、図２（ａ）に示すように、筒部１１の下端外周縁部１１ｂの全周に亘って設けられている。
この鍔部１３ａは、後記するように、筒状本体１０に土嚢袋４を収容して土砂ｅｓを充填する際に、筒状本体１０を地盤等の基礎ｂｓ（図４（ｃ）参照）に安定して固定させるための装置固定部として機能する。
尚、鍔部１３ａの平面視における形状は、図例のような筒部１１の平面視における形状に合わせた形状とせずに、異なる形状、例えば、外周が円形状のものとしたり、外周部から外方に向けて突出する突出片を適所に間隔を空けて設けたりしてもよい。
【００２６】
上記紐係止具１４は、図１に示すように、土嚢袋４に設けられた一対の吊持用紐（吊ベルト）４ｂ，４ｂ（図４（ｃ）参照）に対応させて、上記筒部１１の外側上端部の両側に、それぞれ設けられている。
該紐係止具１４は、筒部１１の外側壁に溶接等によって固着されたベース部１５と、該ベース部１５に揺動自在に支持されたレバー部１６とを備えている。
上記ベース部１５には、上方に向けて開口するように切欠形成された紐係止用凹部１５ａが設けられている。
また、上記レバー部１６の基端部には、図３（ｂ）に示すように、上記紐係止用凹部１５ａの形状に対応させて形成された鉤状の凹部閉塞部１６ａが設けられている。
尚、上記紐係止具１４は、上下を反転させて筒部１１の外側壁に固着させるようにしてもよい。
【００２７】
上記構成とされた紐係止具１４では、上記レバー部１６を起立回動させることで、図３（ｂ）に示すように、該レバー部１６の凹部閉塞部１６ａによって、上記紐係止用凹部１５ａの上方開口が閉塞される（ロック状態）。一方、上記レバー部１６を倒伏回動させることで、図２（ｂ）に示すように、上記凹部閉塞部１６ａの凹部と紐係止用凹部１５ａとが正面視して整合し、紐係止用凹部１５ａの上方開口の閉塞が解除される（ロック解除状態）。
上記紐係止具１４の固着箇所は、筒状本体１０の筒部１１に収容させる袋に応じて適宜、設定可能であるが、図４（ｃ）に示すように、土嚢袋４を筒状本体１０に収容させて、該土嚢袋４の底部が基礎ｂｓに当接した状態で、土嚢袋４の吊持用紐４ｂを、適度な緊張状態で係止可能な高さに固着するようにしてもよい。
尚、上記紐係止具１４の構成は、上記した例に限られず、土嚢袋４等に設けられた吊持用紐を係止可能なものとすれば良いが、上記例のように、レバー等の操作部を操作することで、ロックとロック解除の可能な係止具とすることが好ましい。
【００２８】
上記筒部１１の高さや内径、厚み、及び上記鍔部１３ａの筒部１１の側壁からの延出幅等は、当該袋充填用補助装置１の用途（収容する袋の大きさや、中詰め材の種類）や、筒状本体１０の素材、重量等に応じて、適宜、設計可能である。例えば、後記するように、大型円筒形状の土嚢袋４（高さ１１００ｍｍ、径１１００ｍｍ）に土砂ｅｓを充填して土嚢５（図６（ｃ）参照）を製作する場合には、筒状本体１０の各部を金属材で形成し、筒部１１の高さを、１１００ｍｍ程度〜１３００ｍｍ程度、筒部１１の内径を、１０００ｍｍ程度〜１１００ｍｍ程度、筒部１１の厚みを、５ｍｍ程度〜１５ｍｍ程度、鍔部１３ａの延出幅を、５０ｍｍ程度〜１５０ｍｍ程度としてもよい。
【００２９】
上記筒状本体１０の筒部１１を、上記のように大型円筒形状の袋に対応させた形状、大きさとすることにより、大型円筒形状の袋へ中詰め材を充填するための補助装置として好適である。すなわち、このような形状、大きさとすることにより、大型円筒形状の袋に効率的に中詰め材を充填することができる。
尚、上記筒状本体１０は、安定性及び強度的な観点から金属製とすることが好ましいが、ＦＲＰ（Ｆｉｂｅｒ  Ｒｅｉｎｆｏｒｃｅｄ  Ｐｌａｓｔｉｃｓ、繊維強化プラスチック）等の他の材料からなるものとしてもよい。
また、本実施形態では、上記筒部１１の上端に設けられた上端突条部１２及び下端に設けられた鍔部１３ａを、溶接等によって固着させた態様を例示しているが、これら上端突条部１２及び鍔部１３ａを、例えば、板金や絞り、プレス加工等によって、筒部１１と一体的に形成して筒状本体１０を構成するようにしてもよい。
【００３０】
上記止め輪２０は、図２（ａ）に示すように、非ループ状の略リング形状とされた金属ワイヤ２１と、該金属ワイヤ２１の外周面を被覆するゴムチューブ２２と、該金属ワイヤ２１の一端部に固着された紐状部材２３と、該紐状部材２３の一端部に固着されたハンドル部２４とを備えている。
上記金属ワイヤ２１の上記一端部には、上記紐状部材２３が巻回される紐固定部２１ａが設けられ、該金属ワイヤ２１の他端部には、上記紐状部材２３が挿通されたリング部２１ｂが設けられている。
【００３１】
上記構成とされた止め輪２０では、上記ハンドル部２４を外方に向けて引っ張ることで、上記金属ワイヤ２１の両端部が引き寄せられて、該止め輪２０の径が小さくなる（締め付け状態）。次いで、上記ハンドル部２４に固着された紐状部材２３を、上記紐固定部２１ａに巻回させて固定することで、該止め輪２０の締め付け状態の保持がなされる。
また、上記紐状部材２３を上記紐固定部２１ａから解いて、その固定状態を解除すれば、上記金属ワイヤ２１の弾性復元力により、当該止め輪２０の径が大きくなる（締め付け解除状態）。
この止め輪２０によれば、該金属ワイヤ２１には、外周面にゴムチューブ２２が被覆されているので、後記するように、土嚢袋４の折り返された開口端部４ｄを締め付ける際に、該土嚢袋４を損傷させるようなことがなく、また、該ゴムチューブ２２が滑り止めとなり、土嚢袋４のズレ等を、より効果的に低減できる。
【００３２】
尚、上記筒状本体１０に収容させた土嚢袋４の折り返された開口端部４ｄを拘束するための拘束手段としては、上記のような止め輪２０に限られず、例えば、全周に亘って締め付けられるクランプ状の締め付け具や、ホースの締め付け等に採用される締め付けバンド状のものとしてもよい。或いは、下方に開口する凹溝を全周に亘って有した環状リム部材を、上記筒状本体１０の上端開口の縁部に嵌め込むようなものとしてもよい。
このようなものでも、上記した例と同様、土嚢袋４の折り返された開口端部４ｄを、全周に亘って拘束できる。
【００３３】
次に、上記構成とされた袋充填用補助装置１を用いた中詰め材充填方法の一例を図４〜図６に基づいて説明する。
尚、以下の中詰め材充填方法では、袋充填用補助装置１の移動、中詰め材の充填、及び中詰め材充填後の袋の移動を、バックホウやパワーショベル等のショベル掘削機２にて行う例を示し、また、大型円筒形状の土嚢袋４に土砂ｅｓを充填する例を示している。
【００３４】
上記ショベル掘削機２の構成は、どのようなものでもよいが、一般的に、図４（ａ）に示すように、アーム２ａの先端部に揺動自在に設けられたバケット２ｂを有し、該バケット２ｂの基部には、各種器具等を引掛けるためのフック２ｃが設けられている。
また、上記土嚢袋４は、図４（ａ）及び図６（ｃ）に示すように、外袋４ａと、内袋４ｃとからなり、開口４ｅを有した二重袋構造とされ、該外袋４ａには、一対の吊持用紐４ｂ，４ｂが縫着されている。上記内袋４ｃは、外袋４ａの開口上端部から延出する延出部４ｄを有しており、該内袋４ｃの延出部４ｄが開口端部を構成する。
【００３５】
まず、図４（ａ）に示すように、一対の紐係止具１４，１４に、袋充填用補助装置１を吊持（吊り上げ、吊下げ）するための吊りベルト３の両端部のリング部３ａをそれぞれ係止させ、該吊りベルト３を、ショベル掘削機２のフック２ｃに引掛けて、袋充填用補助装置１を吊持し、移動させて、基礎ｂｓ上の所定位置に設置する。
この際、基礎ｂｓの袋充填用補助装置１を設置する箇所が略平坦となるように、予め地均し等を施すようにしてもよい。
次いで、吊りベルト３を、紐係止具１４から脱離させ、図４（ｂ）に示すように、筒状本体１０の鍔部１３ａの全周に亘って、土砂ｅｓを堆積させて、鍔部１３ａを基礎ｂｓに対して固定させる。
尚、このように土嚢袋４に土砂ｅｓを充填する前に、予め鍔部１３ａに土砂ｅｓを堆積させる態様に代えて、後記するように、土嚢袋４に土砂ｅｓを充填させる際に、筒状本体１０の四周に零れ落ちた土砂ｅｓによって鍔部１３ａ上に堆積させるような態様としてもよい。或いは、該鍔部１３ａに重し等を載置するようにしてもよい。
【００３６】
次いで、図４（ｃ）に示すように、土嚢袋４の一対の吊持用紐４ｂ，４ｂを、一対の紐係止具１４，１４に係止させ、図５（ａ）に示すように、上記土嚢袋４の内袋４ｃの延出部４ｄを、筒状本体１０の外周壁上端部に添わせるように折り返す。また、このように折り返された延出部４ｄの周囲に、止め輪２０を配置する。
そして、図５（ｂ）に示すように、上述のように止め輪２０のハンドル部２４を引張り、紐状部材２３を紐固定部２１ａに巻回させて固定し、止め輪２０の締め付け状態を固定保持させる。
この際、図例のように、上記止め輪２０を、一対の紐係止具１４，１４の近傍下方位置に配置して締め付けるようにしても良い。これにより、該紐係止具１４，１４が止め輪２０のズレ止めとなる。或いは、筒状本体１０の上端部に設けられた上端突条部１２の近傍下方位置に、上記止め輪２０を配置して締め付けるようにしてもよい。このような態様によっても、上端突条部１２が止め輪２０のズレ止めとなる。
【００３７】
上記した状態で、図５（ｃ）に示すように、上記ショベル掘削機２のバケット２ｂで掬った土砂ｅｓを、土嚢袋４の開口４ｅから投入し、土砂ｅｓを土嚢袋４に充填する。
尚、土砂ｅｓを充填した後に、充填した土砂ｅｓを均すようにしてもよい。これにより、均一量に充填された土嚢５（図６（ｃ）参照）をより効果的に製作できる。
上記のように土嚢袋４に土砂ｅｓを充填した後に、図６（ａ）に示すように、一対の紐係止具１４，１４の係止をそれぞれ解除して一対の吊持用紐４ｂ，４ｂを解放させ、また、延出部４ｄを結束用紐４ｆ等で縛って開口４ｅを封止する。
【００３８】
次いで、図６（ｂ）に示すように、土嚢袋４の一対の吊持用紐４ｂ，４ｂを、上記ショベル掘削機２のフック２ｃに引掛けて、該土嚢５を筒状本体１０から上方に向けて抜き出し、図６（ｃ）に示すように、製作した土嚢５を、ショベル掘削機２によって吊持し、移動させて目的の箇所に載置する。
複数個の土嚢５を製作する場合には、図４（ｃ）に示したように、新たな土嚢袋４を、筒状本体１０に収容させて、上記工程を繰り返すようにすればよい。
尚、上記中詰め材充填方法は、一例であり、上記工程は、前後させてもよく、また、他の工程によって土嚢を製作するようにしてもよい。
【００３９】
以上のように、本実施形態に係る袋充填用補助装置１によれば、土砂ｅｓ等の中詰め材を土嚢袋４に充填する際に、当該袋充填用補助装置１を、所定位置に固定状態として移動させる必要がない。すなわち、上述のように、土嚢袋４を筒状本体１０内に収容させ、土砂ｅｓを充填し、土嚢５を移動させる工程を繰り返すことで、複数個の土嚢５を製作することができ、土嚢袋４への土砂ｅｓの充填作業の作業性を飛躍的に向上させることができる。
また、土嚢袋４は、筒状本体１０の内周側壁によって、その周囲が規制されるので、土砂ｅｓを充填した袋毎に、充填量がバラツクようなことがなく、均一量の土砂ｅｓを各土嚢袋４に充填することができるとともに、同形状の土嚢５を容易に製作できる。よって、土木工事の現場等への施工時に、土嚢５を、整然かつ崩れるようなことなく積重ねることができる。
【００４０】
さらに、該筒状本体１０の下端外周縁部１１ｂには、外方に向けて延出する鍔部１３ａが周設されているので、該筒状本体１０の安定性が高まる。これにより、上述のように、ショベル掘削機２で土砂ｅｓを土嚢袋４に充填する際に、該筒状本体１０が倒れるようなことがない。
さらにまた、上記鍔部１３ａに、上述のように、土砂ｅｓを堆積させることによって、より安定性が高められるとともに、当該鍔部１３ａが、基礎ｂｓ面に対して、筒状本体１０を堅固に固定させるための固定部として機能する。これにより、上述のように、土砂ｅｓを充填した後に、土嚢袋４を上記筒状本体１０から抜き取る際にも、該筒状本体１０が倒れたり、該土嚢袋４（土嚢５）とともに当該筒状本体１０が引き上げられたりすることを防止できる。また、上述のように、上記鍔部１３ａに、ショベル掘削機２で土砂ｅｓを堆積させる際に、上記筒状本体１０内に土砂ｅｓが投入されたような場合にも、上記のように筒状本体１０は、下方が開口しているので、該筒状本体１０を移動させる必要が生じた場合にも該筒状本体１０内に土砂ｅｓが残存するようなことがない。
また、上下に開口する形状とされているので、例えば、下端が閉塞された筒状体のものと比べて、地盤等の基礎ｂｓに設置する際、地盤等の不陸を吸収でき、筒状本体１０が傾くようなことを低減できる。
【００４１】
また、本実施形態に係る袋充填用補助装置１は、上記筒状本体１０に収容されて折り返された上記土嚢袋４の延出部４ｄを外周から締め付ける止め輪２０を備えている。従って、土嚢袋４の延出部４ｄが拘束されるので、土砂ｅｓを土嚢袋４に投入する際に、該土嚢袋４が上記筒状本体１０内にズレ落ちたり、該土嚢袋４が外れて上記筒状本体１０内に落ち込んでしまったりするようなことを防止でき、作業性を向上させることができる。
さらに、上記筒状本体１０の外側上端部には、一対の紐係止具１４，１４が設けられているので、土嚢袋４の吊持用紐４ｂ，４ｂを係止させることができ、これによっても上述のような土嚢袋４のズレ落ちや落ち込みを防止することができる。
【００４２】
さらにまた、上記のように一対の紐係止具１４，１４に、土嚢袋４の吊持用紐４ｂ，４ｂを、まず係止させることで、例えば、止め輪２０を締め付ける前に、不意に土嚢袋４が、筒状本体１０内に落ち込むようなことも防止できる。特に、本実施形態のように、大型の土嚢袋４に土砂ｅｓを充填する場合には、土嚢袋４が筒状本体１０内に落ち込んだ際には、該土嚢袋４を拾い上げる作業が、大型であることから面倒かつ困難な作業となるが、上記構成により、そのようなことを防止でき、作業性に優れたものとなる。
【００４３】
尚、本実施形態に係る袋充填用補助装置１の筒状本体１０の筒部１１は、大型円筒形状の土嚢袋４に対応させて、また、剛性の観点から平面視略正十角形状とされているが、他の形状としてもよい。例えば、平面視した形状が略円形状のものとしたり、他の略正多角形状のものとしたりしてもよい。或いは、直方体形状の袋に中詰め材を充填するための補助装置として、筒状本体の筒部を四角筒状のものとしてもよい。
【００４４】
次に、本実施形態に係る袋充填用補助装置が備える筒状本体の一変形例を図７に基づいて説明する。
図７（ａ）、（ｂ）は、いずれも同袋充填用補助装置が備える筒状本体の一変形例をそれぞれ示し、図３（ｃ）に対応させた図である。
尚、上記した例の筒状本体１０とは、主に、鍔部の構成が異なり、同様の構成については、同一符号を付し、その説明を省略或いは簡略に説明する。
【００４５】
第１変形例に係る筒状本体１０Ａは、図７（ａ）に示すように、その下部に固着されたアングル部材１３Ａの鍔部１３Ａａに、周方向に沿って複数個の貫通孔１３ｃを開設している。
この例によれば、上述のように、基礎ｂｓに筒状本体１０Ａを設置した後、上記貫通孔１３ｃに、例えば、杭ｓｔを挿通して、該杭ｓｔを基礎ｂｓに打ち込むようにしてもよい。これにより、より強固に筒状本体１０Ａを、基礎ｂｓに対して固定させることができる。
【００４６】
尚、上記貫通孔１３ｃの開設個数は、例えば、３個〜６個程度を等間隔に開設するような態様としてもよい。
また、上記のように貫通孔１３ｃに杭ｓｔを挿通して打ち込んだ後に、上述のように、鍔部１３Ａａに土砂ｅｓ等を堆積させるようにしてもよい。
【００４７】
第２変形例に係る筒状本体１０Ｂは、図７（ｂ）に示すように、その下部に固着されたアングル部材１３Ｂの鍔部１３Ｂａの裏面に、周方向に沿って複数個のピン部材１７を固着している。
該ピン部材１７は、括れ部１７ａと、下方に向けて先細り円錐状の尖頭部１７ｂとを有した異形円柱状体とされている。
この例によれば、上述のように、地盤等の基礎ｂｓに、筒状本体１０Ｂを設置した際に、該ピン部材１７が基礎ｂｓに食い込んで埋入され、強固に筒状本体１０Ｂを、基礎ｂｓに対して固定させることができる。
【００４８】
尚、上記ピン部材１７の形設個数は、例えば、３個〜１０個程度を等間隔に設けるような態様としてもよい。
また、上記のようにピン部材１７を、基礎ｂｓに食い込ませて埋入させた後に、上述のように、鍔部１３Ｂａに土砂ｅｓ等を堆積させるようにしてもよい。
さらに、上記ピン部材１７の形状は、図例のようなものに限られず、板状体のものや、尖頭部を角錐状とした異形角柱状体、引掛け爪（鉤爪）を有したフック形状のもの等としてもよい。或いは、下方に向けて先細りの単なる逆円錐形状又は逆角錐形状のものとしてもよい。
また、本変形例に係る筒状本体１０Ｂの上記鍔部１３Ｂａに、上記第１変形例において説明した杭等挿通用の貫通孔を適所に開設するようにしてもよい。
【図面の簡単な説明】
【００４９】
【図１】本発明に係る袋充填用補助装置の一実施形態を模式的に示す概略斜視図である。
【図２】（ａ）、（ｂ）は、いずれも同袋充填用補助装置を模式的に示し、（ａ）は、概略平面図、（ｂ）は、概略正面図である。
【図３】（ａ）〜（ｃ）は、いずれも同袋充填用補助装置の部分拡大図であり、（ａ）は、図２（ｂ）におけるＸ１部の概略拡大縦断面図、（ｂ）は、図２（ｂ）におけるＸ２部の概略拡大図、（ｃ）は、図２（ｂ）におけるＸ３部の概略拡大縦断面図である。
【図４】（ａ）〜（ｃ）は、いずれも同袋充填用補助装置を用いた中詰め材充填方法を説明するための説明図であり、（ａ）、（ｂ）は、概略正面図、（ｃ）は、一部破断概略正面図である。
【図５】（ａ）〜（ｃ）は、いずれも同中詰め材充填方法を説明するための概略正面図である。
【図６】（ａ）、（ｂ）は、いずれも同中詰め材充填方法を説明するための概略正面図、（ｃ）は、同中詰め材充填方法によって製作された土嚢の概略正面図である。
【図７】（ａ）、（ｂ）は、いずれも同袋充填用補助装置が備える筒状本体の一変形例をそれぞれ示し、図３（ｃ）に対応させた図である。
【符号の説明】
【００５０】
１                          袋充填用補助装置
４                          土嚢袋（袋）
４ｂ                        土嚢袋の吊持用紐
４ｄ                        延出部（土嚢袋の折り返された開口端部）
１０，１０Ａ，１０Ｂ        筒状本体
１１ｂ                      筒状本体の下端外周縁部
１３ａ，１３Ａａ，１３Ｂａ  鍔部
１４                        紐係止具
２０                        止め輪（拘束手段）
ｅｓ                        土砂（中詰め材）
【図１】
2010037865.tif 000003
【図２】
2010037865.tif 000004
【図３】
2010037865.tif 000005
【図４】
2010037865.tif 000006
【図５】
2010037865.tif 000007
【図６】
2010037865.tif 000008
【図７】
2010037865.tif 000009
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
袋に中詰め材を充填するために用いられる袋充填用補助装置であって、
上下に開口し、前記袋を収容し得る筒状本体と、該筒状本体に収容されて折り返された前記袋の開口端部を外周から締め付ける止め輪とを備え、
前記筒状本体には、その下端外周縁部から外方に向けて延出する鍔部が周設され、該筒状本体の外側上端部の両側には、平面視において対向する位置に、前記袋に設けられた吊持用紐を係止するための一対の紐係止具が付設されており、
前記止め輪は、非ループ状の金属製ワイヤと、該金属製ワイヤの外周面を被覆するゴムチューブと、当該止め輪を縮径させて締め付け状態とするための締め付け補助部材とを備えていることを特徴とする袋充填用補助装置。
【請求項２】
請求項１において、
前記一対の紐係止具は、上方に向けて開口した紐係止用凹部と、該紐係止用凹部の上方開口の閉塞、及びその解除をするための操作部と、をそれぞれ備えていることを特徴とする袋充填用補助装置。
【請求項３】
請求項１または２において、
前記鍔部には、その周方向に沿って複数個の杭挿通用貫通孔が開設されていることを特徴とする袋充填用補助装置。
【請求項４】
請求項１乃至３のいずれか１項において、
前記鍔部の裏面には、その周方向に沿って複数個のピン部材が下方に向けて突設されていることを特徴とする袋充填用補助装置。
【請求項５】
請求項１乃至４のいずれか１項において、
前記筒状本体は、平面視して略円形状或いは六角形以上の略正多角形状とされていることを特徴とする袋充填用補助装置。
【手続補正２】
【補正対象書類名】明細書
【補正対象項目名】００１２
【補正方法】変更
【補正の内容】
【００１２】
前記目的を達成するために、本発明に係る袋充填用補助装置は、袋に中詰め材を充填するために用いられる袋充填用補助装置であって、上下に開口し、前記袋を収容し得る筒状本体と、該筒状本体に収容されて折り返された前記袋の開口端部を外周から締め付ける止め輪とを備え、前記筒状本体には、その下端外周縁部から外方に向けて延出する鍔部が周設され、該筒状本体の外側上端部の両側には、平面視において対向する位置に、前記袋に設けられた吊持用紐を係止するための一対の紐係止具が付設されており、前記止め輪は、非ループ状の金属製ワイヤと、該金属製ワイヤの外周面を被覆するゴムチューブと、当該止め輪を縮径させて締め付け状態とするための締め付け補助部材とを備えていることを特徴とする。
【手続補正３】
【補正対象書類名】明細書
【補正対象項目名】００１４
【補正方法】変更
【補正の内容】
【００１４】
本発明の前記袋充填用補助装置においては、前記一対の紐係止具を、上方に向けて開口した紐係止用凹部と、該紐係止用凹部の上方開口の閉塞、及びその解除をするための操作部と、をそれぞれ備えたものとしてもよい。
【手続補正４】
【補正対象書類名】明細書
【補正対象項目名】００１５
【補正方法】変更
【補正の内容】
【００１５】
本発明の前記いずれかの袋充填用補助装置においては、前記鍔部に、その周方向に沿って複数個の杭挿通用貫通孔を開設してもよい。
本発明の前記いずれかの袋充填用補助装置においては、前記鍔部の裏面に、その周方向に沿って複数個のピン部材を下方に向けて突設させてもよい。
本発明の前記いずれかの袋充填用補助装置においては、前記筒状本体を、平面視して略円形状或いは六角形以上の略正多角形状としてもよい。
【手続補正５】
【補正対象書類名】明細書
【補正対象項目名】００１７
【補正方法】変更
【補正の内容】
【００１７】
さらに、該筒状本体の下端外周縁部には、外方に向けて延出する鍔部が周設されているので、該筒状本体の安定性が高まる。これにより、例えば、バックホウやパワーショベル等の重機で中詰め材を袋に充填するような際にも、該筒状本体が倒れるようなことがない。
さらにまた、上記鍔部に、例えば、重し等を載置したり、土砂等の中詰め材を堆積させたりすることによって、より安定性が高められるとともに、当該鍔部が、地盤等の基礎面に対して上記筒状本体を堅固に固定させるための固定部として機能する。これにより、上述のように、中詰め材を充填した後に、袋を上記筒状本体から抜き取る際にも、該筒状本体が倒れたり、該袋とともに当該筒状本体が引き上げられたりすることを防止できる。また、上述のように、上記鍔部に、例えば、重機等で土砂等を堆積させるような場合に、上記筒状本体内に土砂等が入る場合があるが、上記のように筒状本体は、下方が開口しているので、該筒状本体を移動させる必要が生じた場合にも該筒状本体内に土砂等が残存するようなことがない。
また、上下に開口する形状とされているので、例えば、下端が閉塞された筒状体のものと比べて、地盤等の基礎に設置する際、地盤等の不陸を吸収でき、筒状本体が傾くようなことを低減できる。
さらに、前記筒状本体に収容されて折り返された前記袋の開口端部を外周から締め付ける止め輪を備えているので、該袋の折り返された開口端部が外周から全周に亘って止め輪により締め付けられるので、該袋の開口端部が強固に固定保持され、中詰め材を当該袋に投入する際に、該袋が上記筒状本体内にズレ落ちたり、該袋が外れて上記筒状本体内に落ち込んでしまったりするようなことを確実に防止でき、作業性を向上させることができる。
さらにまた、上記止め輪は、非ループ状の金属製ワイヤと、該金属製ワイヤの外周面を被覆するゴムチューブと、当該止め輪を縮径させて締め付け状態とするための締め付け補助部材とを備えているので、該袋の折り返された開口端部を締め付ける際に、該袋を損傷させるようなことがなく、また、該ゴムチューブが滑り止めとなり、該袋のズレ等を、より効果的に低減できる。
また、前記筒状本体の外側上端部の両側には、平面視において対向する位置に、前記袋に設けられた吊持用紐を係止するための一対の紐係止具が付設されているので、以下のような効果を奏する。特に、大型の土嚢袋やフレキシブルコンテナバッグ等の袋を、上記筒状本体内に収容して、その開口端部を筒状本体の上端部に固定等する際に、該袋の開口端部が外れて筒状本体内に外れ落ちた際には、該袋を拾い上げる作業が、大型であることから面倒かつ困難な作業となるが、袋の吊持用紐を係止する紐係止具を備えているので、外れ落ちるようなことがなく、作業性に優れたものとなる。
さらに、該紐係止具が、上述のような袋のズレ落ちや落ち込みを防止する袋保持用としても機能する。
さらにまた、上記紐係止具に、例えば、当該袋充填用補助装置を重機等で吊持するための吊りベルト等を係止させることで、当該袋充填用補助装置を重機等で吊持する際の吊り部としても機能する。
また、上記止め輪を、これら一対の紐係止具の近傍下方位置に配置して締め付けるようにすれば、これら一対の紐係止具が止め輪のズレ止めとなる。
【手続補正６】
【補正対象書類名】明細書
【補正対象項目名】００１８
【補正方法】変更
【補正の内容】
【００１８】
本発明に係る前記袋充填用補助装置において、前記一対の紐係止具を、上方に向けて開口した紐係止用凹部と、該紐係止用凹部の上方開口の閉塞、及びその解除をするための操作部と、をそれぞれ備えたものとすれば、操作部を操作することで、ロックとロック解除の可能な係止具となる。
【手続補正７】
【補正対象書類名】明細書
【補正対象項目名】００１９
【補正方法】変更
【補正の内容】
【００１９】
本発明に係る前記いずれかの袋充填用補助装置において、前記鍔部に、その周方向に沿って複数個の杭挿通用貫通孔を開設すれば、地盤等の基礎に上記筒状本体を設置した後、上記杭挿通用貫通孔に、杭を挿通して、該杭を地盤等の基礎に打ち込むことができる。これにより、より強固に筒状本体を、地盤等の基礎に対して固定させることができる。
本発明に係る前記いずれかの袋充填用補助装置において、前記鍔部の裏面に、その周方向に沿って複数個のピン部材を下方に向けて突設させたものとすれば、地盤等の基礎に、上記筒状本体を設置した際に、該ピン部材が地盤等の基礎に食い込んで埋入され、強固に筒状本体を、基礎に対して固定させることができる。
【手続補正８】
【補正対象書類名】明細書
【補正対象項目名】００２０
【補正方法】変更
【補正の内容】
【００２０】
本発明の前記いずれかの袋充填用補助装置において、前記筒状本体を、平面視して略円形状或いは六角形以上の略正多角形状とすれば、特に、大型円筒形（丸型タイプ）の土嚢袋（いわゆる１トン土嚢用の袋）や大型円筒形のフレキシブルコンテナバッグ等の円筒形状の袋に好適である。すなわち、円筒形状の袋への中詰め材の充填を効率的に行うことができる。
また、例えば、四角筒状のような筒状本体と比べて、剛性が高められる。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
袋に中詰め材を充填するために用いられる袋充填用補助装置であって、
上下に開口し、前記袋を収容し得る筒状本体と、該筒状本体に収容されて折り返された前記袋の開口端部を外周から締め付けるための止め輪とを備え、
前記筒状本体には、その下端外周縁部から外方に向けて延出する鍔部が周設され、該筒状本体の外側上端部の両側には、平面視において対向する位置に、前記袋に設けられた吊持用紐を係止するための一対の紐係止具が付設されており、
前記止め輪は、非ループ状の金属製ワイヤと、該金属製ワイヤの外周面を被覆するゴムチューブと、該金属製ワイヤの一端部に一端部が固着され、該金属製ワイヤの他端部に設けられたリング部に挿通された紐状部材と、該紐状部材の他端部に固着されたハンドル部と、該金属製ワイヤの前記一端部に設けられて、該紐状部材を巻回させて固定するための紐固定部とを備えていることを特徴とする袋充填用補助装置。
【請求項２】
請求項１において、
前記一対の紐係止具は、上方に向けて開口した紐係止用凹部が設けられたベース部と、該紐係止用凹部の上方開口を閉塞するための凹部閉塞部を有した操作部と、をそれぞれ備えており、
前記操作部を操作することで、前記紐係止用凹部を前記凹部閉塞部によって閉塞するロックと、該凹部閉塞部による該紐係止用凹部の閉塞を解除するロック解除とがなされる構成とされていることを特徴とする袋充填用補助装置。
【請求項３】
請求項１または２において、
前記鍔部には、その周方向に沿って複数個の杭挿通用貫通孔が開設されていることを特徴とする袋充填用補助装置。
【請求項４】
請求項１乃至３のいずれか１項において、
前記鍔部の裏面には、その周方向に沿って複数個のピン部材が下方に向けて突設されていることを特徴とする袋充填用補助装置。
【請求項５】
請求項１乃至４のいずれか１項において、
前記筒状本体は、平面視して略円形状或いは六角形以上の略正多角形状とされていることを特徴とする袋充填用補助装置。
【手続補正２】
【補正対象書類名】明細書
【補正対象項目名】００１２
【補正方法】変更
【補正の内容】
【００１２】
前記目的を達成するために、本発明に係る袋充填用補助装置は、袋に中詰め材を充填するために用いられる袋充填用補助装置であって、上下に開口し、前記袋を収容し得る筒状本体と、該筒状本体に収容されて折り返された前記袋の開口端部を外周から締め付けるための止め輪とを備え、前記筒状本体には、その下端外周縁部から外方に向けて延出する鍔部が周設され、該筒状本体の外側上端部の両側には、平面視において対向する位置に、前記袋に設けられた吊持用紐を係止するための一対の紐係止具が付設されており、前記止め輪は、非ループ状の金属製ワイヤと、該金属製ワイヤの外周面を被覆するゴムチューブと、該金属製ワイヤの一端部に一端部が固着され、該金属製ワイヤの他端部に設けられたリング部に挿通された紐状部材と、該紐状部材の他端部に固着されたハンドル部と、該金属製ワイヤの前記一端部に設けられて、該紐状部材を巻回させて固定するための紐固定部とを備えていることを特徴とする。
【手続補正３】
【補正対象書類名】明細書
【補正対象項目名】００１４
【補正方法】変更
【補正の内容】
【００１４】
本発明の前記袋充填用補助装置においては、前記一対の紐係止具を、上方に向けて開口した紐係止用凹部が設けられたベース部と、該紐係止用凹部の上方開口を閉塞するための凹部閉塞部を有した操作部と、をそれぞれ備えたものとし、前記操作部を操作することで、前記紐係止用凹部を前記凹部閉塞部によって閉塞するロックと、該凹部閉塞部による該紐係止用凹部の閉塞を解除するロック解除とがなされる構成とされているものとしてもよい。
【手続補正４】
【補正対象書類名】明細書
【補正対象項目名】００１７
【補正方法】変更
【補正の内容】
【００１７】
さらに、該筒状本体の下端外周縁部には、外方に向けて延出する鍔部が周設されているので、該筒状本体の安定性が高まる。これにより、例えば、バックホウやパワーショベル等の重機で中詰め材を袋に充填するような際にも、該筒状本体が倒れるようなことがない。
さらにまた、上記鍔部に、例えば、重し等を載置したり、土砂等の中詰め材を堆積させたりすることによって、より安定性が高められるとともに、当該鍔部が、地盤等の基礎面に対して上記筒状本体を堅固に固定させるための固定部として機能する。これにより、上述のように、中詰め材を充填した後に、袋を上記筒状本体から抜き取る際にも、該筒状本体が倒れたり、該袋とともに当該筒状本体が引き上げられたりすることを防止できる。また、上述のように、上記鍔部に、例えば、重機等で土砂等を堆積させるような場合に、上記筒状本体内に土砂等が入る場合があるが、上記のように筒状本体は、下方が開口しているので、該筒状本体を移動させる必要が生じた場合にも該筒状本体内に土砂等が残存するようなことがない。
また、上下に開口する形状とされているので、例えば、下端が閉塞された筒状体のものと比べて、地盤等の基礎に設置する際、地盤等の不陸を吸収でき、筒状本体が傾くようなことを低減できる。
さらに、前記筒状本体に収容されて折り返された前記袋の開口端部を外周から締め付ける止め輪を備えているので、該袋の折り返された開口端部が外周から全周に亘って止め輪により締め付けられるので、該袋の開口端部が強固に固定保持され、中詰め材を当該袋に投入する際に、該袋が上記筒状本体内にズレ落ちたり、該袋が外れて上記筒状本体内に落ち込んでしまったりするようなことを確実に防止でき、作業性を向上させることができる。
さらにまた、上記止め輪は、非ループ状の金属製ワイヤと、該金属製ワイヤの外周面を被覆するゴムチューブと、該金属製ワイヤの一端部に一端部が固着され、該金属製ワイヤの他端部に設けられたリング部に挿通された紐状部材と、該紐状部材の他端部に固着されたハンドル部と、該金属製ワイヤの前記一端部に設けられて、該紐状部材を巻回させて固定するための紐固定部とを備えているので、該袋の折り返された開口端部を締め付ける際に、該袋を損傷させるようなことがなく、また、該ゴムチューブが滑り止めとなり、該袋のズレ等を、より効果的に低減できる。
また、前記筒状本体の外側上端部の両側には、平面視において対向する位置に、前記袋に設けられた吊持用紐を係止するための一対の紐係止具が付設されているので、以下のような効果を奏する。特に、大型の土嚢袋やフレキシブルコンテナバッグ等の袋を、上記筒状本体内に収容して、その開口端部を筒状本体の上端部に固定等する際に、該袋の開口端部が外れて筒状本体内に外れ落ちた際には、該袋を拾い上げる作業が、大型であることから面倒かつ困難な作業となるが、袋の吊持用紐を係止する紐係止具を備えているので、外れ落ちるようなことがなく、作業性に優れたものとなる。
さらに、該紐係止具が、上述のような袋のズレ落ちや落ち込みを防止する袋保持用としても機能する。
さらにまた、上記紐係止具に、例えば、当該袋充填用補助装置を重機等で吊持するための吊りベルト等を係止させることで、当該袋充填用補助装置を重機等で吊持する際の吊り部としても機能する。
また、上記止め輪を、これら一対の紐係止具の近傍下方位置に配置して締め付けるようにすれば、これら一対の紐係止具が止め輪のズレ止めとなる。
【手続補正５】
【補正対象書類名】明細書
【補正対象項目名】００１８
【補正方法】変更
【補正の内容】
【００１８】
本発明に係る前記袋充填用補助装置において、前記一対の紐係止具を、上方に向けて開口した紐係止用凹部が設けられたベース部と、該紐係止用凹部の上方開口を閉塞するための凹部閉塞部を有した操作部と、をそれぞれ備えたものとし、前記操作部を操作することで、前記紐係止用凹部を前記凹部閉塞部によって閉塞するロックと、該凹部閉塞部による該紐係止用凹部の閉塞を解除するロック解除とがなされる構成とされているものとすれば、操作部を操作することで、ロックとロック解除の可能な係止具となる。